(57)【特許請求の範囲】
【請求項１】
室内外を連通する開口部に設けられるシャッターユニットであって、
前記開口部に固定される枠部材と、当該シャッターユニットを動作させるためのケーブルと、を有し、
前記枠部材は、見付け方向における前記開口部の縁と前記枠部材の内側端面との間から前記ケーブルを室内側に引き込むための導入部を有し、
前記開口部は、当該開口部の上材及び縦材を有する壁部に設けられており、
前記導入部から引き込まれた前記ケーブルは、前記縦材と前記枠部材との間から前記縦材を貫通する貫通孔に挿通されて前記壁部内の間隙に配線されることを特徴とするシャッターユニット。
【請求項２】
室内外を連通する開口部に設けられるシャッターユニットであって、
前記開口部に固定される枠部材と、当該シャッターユニットを動作させるためのケーブルと、を有し、
前記枠部材は、見付け方向における前記開口部の縁と前記枠部材の内側端面との間から前記ケーブルを室内側に引き込むための導入部を有し、
前記開口部は、当該開口部の上材及び縦材を有する壁部に設けられており、
前記導入部から引き込まれた前記ケーブルは、前記縦材と前記枠部材との間から前記縦材に室内側壁面材に臨ませて設けられた溝部を介して前記壁部内の間隙に配線されることを特徴とするシャッターユニット。
【請求項３】
請求項１または請求項２に記載のシャッターユニットであって、
前記枠部材は、前記導入部が設けられた縦枠材を有し、
前記ケーブルは、前記縦枠材内に、当該縦枠材内に入る位置及び出る位置より低い部位を有することを特徴とするシャッターユニット。
【請求項４】
請求項１乃至請求項３のいずれかに記載のシャッターユニットであって、
前記ケーブルは、前記シャッターユニットを動作させるための電力を供給するための電力供給ケーブルであることを特徴とするシャッターユニット。
【請求項５】
請求項１乃至請求項４のいずれかに記載のシャッターユニットであって、
前記導入部は、前記ケーブルの外径より大きく前記枠部材に設けられた導入孔であり、
前記ケーブルが引き込まれた前記導入孔の開孔部分を塞ぐ閉塞部材を有することを特徴とするシャッターユニット。
【発明の詳細な説明】
【技術分野】
【０００１】
本発明は、室内外を連通する開口部に設けられるシャッターユニットに関する。
【背景技術】
【０００２】
室内外を連通する開口部に設けられるシャッターユニットは、シャッターボックスから引き出された電源ケーブル等のケーブル類が室内側に引き込まれている。このようなシャッターユニットの配線としては、互いに離間対向して位置する柱部に架け渡されシャッターボックスの室内側に配置されるまぐさに形成された貫通孔にケーブルが通されているものがある。また、まぐさを通さない場合にはシャッターボックスの側方からケーブルを一旦外に導出し、導出されたケーブルが外壁に設けられた挿通孔を介して外壁と内壁との間隙に通されているものもある（例えば、特許文献１参照）。
【０００３】
また、シャッターボックスの室内側には予め壁部とケーブルを挿通するための孔が設けられており、シャッターボックスを取り付ける際に、予め設けられている孔の位置に合わせて配線している。
【特許文献１】特開２００１−３０３８７３号公報
【発明の開示】
【発明が解決しようとする課題】
【０００４】
しかしながら、まぐさに貫通孔を形成することは、強度上好ましくなく、また、シャッターカーテンが巻き取られるシャッターボックスの室内側に貫通孔が形成されていると防音や気密性を維持するうえでも好ましくない。また、シャッターボックスの側方から導出したケーブルを外壁の挿通孔を介して外壁と内壁との間隙に通す場合には、シャッターボックスと外壁との間でケーブルが外側を通ることになり、たとえカバー等にて覆ったとしても美観を損ねる畏れがある。また、外壁に挿通孔を設けるため、雨水等が内部に進入しないような処置を施さなければならないという課題がある。
【０００５】
さらに、シャッターボックスの室内側に予め壁部とケーブルを挿通するための孔が設けられている場合には、予め設けられた孔の位置に合わせて配線しつつシャッターボックスを取り付けるため、取り付け作業が繁雑であるという課題がある。
【０００６】
本発明は、かかる課題に鑑みてなされたものであり、その目的とするところは、強度及び美観を損なわず容易に取り付けられるシャッターユニットを提供することにある。
【課題を解決するための手段】
【０００７】
かかる目的を達成するために本発明のシャッターユニットは、室内外を連通する開口部に設けられるシャッターユニットであって、前記開口部に固定される枠部材と、当該シャッターユニットを動作させるためのケーブルと、を有し、前記枠部材は、見付け方向における前記開口部の縁と前記枠部材の内側端面との間から前記ケーブルを室内側に引き込むための導入部を有し、前記開口部は、当該開口部の上材及び縦材を有する壁部に設けられており、前記導入部から引き込まれた前記ケーブルは、前記縦材と前記枠部材との間から前記縦材を貫通する貫通孔に挿通されて前記壁部内の間隙に配線されることを特徴とするシャッターユニットである。  
このようなシャッターユニットによれば、シャッターユニットを動作させるためのケーブルは、枠部材に設けられた導入部を介して開口部の縁と枠部材の内側端面との間から室内側に引き込まれる。このため、ケーブルを引き込むためだけに開口部に加工が加えられないので強度を損なうことはなく、また、開口部の縁と枠部材の内側端面との間から引き込むことによりケーブルが外部に露出しないので美観を損なうことなくケーブルを室内側に引き込むことが可能である。  
また、導入部から引き込まれたケーブルは、前記縦材と前記枠部材との間から前記縦材を貫通する貫通孔に挿通されて壁部内の間隙に配線されるので、ケーブルは壁部より外側には露出しない。このため、美観に優れたシャッターユニットを実現することが可能である。
【０００８】
また、本発明のシャッターユニットは、室内外を連通する開口部に設けられるシャッターユニットであって、前記開口部に固定される枠部材と、当該シャッターユニットを動作させるためのケーブルと、を有し、前記枠部材は、見付け方向における前記開口部の縁と前記枠部材の内側端面との間から前記ケーブルを室内側に引き込むための導入部を有し、前記開口部は、当該開口部の上材及び縦材を有する壁部に設けられており、前記導入部から引き込まれた前記ケーブルは、前記縦材と前記枠部材との間から前記縦材に室内側壁面材に臨ませて設けられた溝部を介して前記壁部内の間隙に配線されることを特徴とするシャッターユニットである。  
このようなシャッターユニットによれば、シャッターユニットを動作させるためのケーブルは、枠部材に設けられた導入部を介して開口部の縁と枠部材の内側端面との間から室内側に引き込まれる。このため、ケーブルを引き込むためだけに開口部に加工が加えられないので強度を損なうことはなく、また、開口部の縁と枠部材の内側端面との間から引き込むことによりケーブルが外部に露出しないので美観を損なうことなくケーブルを室内側に引き込むことが可能である。  
また、導入部から引き込まれたケーブルは、縦材と枠部材との間から、縦材の溝部を介して配線される。このとき、溝部は室内側壁面材に臨ませて設けられているので、ケーブルが配線されている溝部は室内側壁面材に覆われて外部に露出しない。このため、美観に優れたシャッターユニットを実現することが可能である。
【０００９】
かかるシャッターユニットであって、前記枠部材は、前記導入部が設けられた縦枠材を有し、前記ケーブルは、前記縦枠材内に、当該縦枠材内に入る位置及び出る位置より低い部位を有することが望ましい。  
このようなシャッターユニットによれば、縦枠材に設けられた導入部から引き込まれたケーブルは、前記縦枠材内に、縦枠材内に入る位置及び縦枠材内から出る位置より低い部位を有するので、たとえケーブルを伝って水等が進入したとしても、縦枠材内に入る位置及び縦枠材内から出る位置より低い部位より室内側には進入しない。このため室内側への水等の進入を防ぐことが可能である。
【００１０】
かかるシャッターユニットであって、前記ケーブルは、前記シャッターユニットを動作させるための電力を供給するための電力供給ケーブルであることが望ましい。  
このようなシャッターユニットによれば、電力供給ケーブルを外部に露出させることなく壁面部内にて配線することが可能である。
【００１１】
かかるシャッターユニットであって、前記導入部は、前記ケーブルの外径より大きく前記枠部材に設けられた導入孔であり、前記ケーブルが引き込まれた前記導入孔の開孔部分を塞ぐ閉塞部材を有することが望ましい。  
このようなシャッターユニットによれば、導入孔がケーブルの外径より大きく形成されているのでケーブルを導入しやすく、また、ケーブルが引き込まれた導入孔の開孔部分は閉塞部材にて塞がれるので、より水密性を高めることが可能である。
【発明の効果】
【００１２】
本発明によれば、強度及び美観を損なわず容易に取り付けられるシャッターユニットを提供するが可能である。
【発明を実施するための最良の形態】
【００１３】
以下、本発明の一実施形態に係るシャッターユニットの配線構造について、図を参照して説明する。
【００１４】
本実施の形態に係るシャッターユニット１０は、図１乃至図３に示すように、例えば室内外を連通する開口部３０に設けられ、引き違い障子２１を有するサッシ窓２０と、開口を開閉するために昇降される昇降可能なシャッターカーテン１２と、シャッターカーテン１２の端部をガイドするための左右一対のガイドレール１４と、ガイドレール１４の上部に設けられたシャッターケース５４と、シャッターケース５４内に設けられシャッターカーテン１２を昇降させるための昇降装置５０と、を有している。
【００１５】
以下の説明では、シャッターユニット１０を室外側から見たときに上下となる方向を上下方向、左右となる方向を左右方向または見付け方向、室内外方向である奥行き方向を見込み方向（面外方向）として示す。
【００１６】
本実施形態に係るシャッターユニット１０が設けられる開口部３０は、見付け方向において間隔を隔てて設けられた一対の縦枠材３１と、一対の縦枠材３１間に架け渡された開口部３０の上材３２と、一対の縦枠材３１にそれぞれ隣接させて設けられ上材３２を支持するための一対の上材受け３４と、一対の上材受け３４間に架け渡された窓台３３と、を有している。ここで、縦枠材３１と上材受け３４とが縦材に相当する。また、一対の上材受け３４は、縦枠材３１と同様に見付け方向において間隔を隔てて設けられており、本実施形態では、一対の上材受け３４の互いに対向する面３４ａが、見付け方向における開口部３０の縁に相当する。
【００１７】
また、縦枠材３１及び上材受け３４の室外側にパネル材３６及び外壁材３７が設けられ、室内側に室内側壁面材としての内装壁材５６が設けられて、内部に間隙を有する壁部５５が形成されている。
【００１８】
サッシ窓２０は、開口部３０に取り付けられたサッシ枠２２と、サッシ枠２２内を開閉可能に設けられた引き違い障子２１とを有している。
【００１９】
サッシ枠２２は、開口部３０に上下方向に沿って設けられ左右に位置する縦枠材としての縦枠２３と上下に位置する横枠２７とを有している。ガイドレール１４とサッシ枠２２の縦枠２３とが接合されて枠部材２８を構成している。
【００２０】
シャッターカーテン１２は、図３、図４に示すように複数のスラット１２ａが連結されいる。スラット１２ａの連結部は屈曲可能に形成され、シャッター開放時には、シャッターケース５４内に設けられシャッターカーテン１２を昇降させるための回動体５２に巻き付けられている。
【００２１】
昇降装置５０は、シャッターカーテン１２の最上端側のスラット１２ａが連結され、回動することによりシャッターカーテン１２が巻き取られ、また、繰り出される回動体５２と、回動体５２を回動させてシャッターカーテン１２を昇降させるモータ５１と、シャッターカーテン１２が巻き上げられる方向に回動体５２が回動するように付勢するコイルばね（不図示）とを有している。コイルばねは、巻き上げ動作によるモータ５１への負荷を軽減するように構成されている。
【００２２】
モータ５１に電力を供給するための電力供給ケーブル５３は、シャッターケース５４に設けられシャッターカーテン１２が出入りする入出開口５４ａであって、見付け方向においてシャッターカーテン１２が通過しない領域、すなわち見付け方向における端部側にてシャッターケース５４から引き出されている。本実施形態では、電力供給ケーブル５３は、室外側から見て右端側から引き出されている。
【００２３】
ガイドレール１４は、開口部３０に取り付けられたサッシ枠２２を構成する左右の縦枠２３に、固定部材(不図示)を介して取り付けられている。本実施形態のガイドレール１４は、見付け方向における先端が、開口部３０の中央側の内側端面３９ａとほぼ同じ位置になるように構成されているので、室内側からの景観が損なわれない。
【００２４】
縦枠２３は、縦枠材３１及び上材受け３４にねじにて固定されている。縦枠２３は、図４に示すように、上下端に開口を有し、断面が矩形状の中空部２４を備えた押出成形部材である。中空部２４の室外側にはガイドレール１４を固定するためのレール固定部２５と、室内側には縦枠２３を開口部３０に固定するための躯体固定部２６とを有している。
【００２５】
縦枠２３には、中空部２４を形成し、室内側に臨む面を有する室内側壁部２４ａと室外側に臨む面を有する室外側壁部２４ｂとに電力供給ケーブル５３を室内側へ導入するための導入部としての導入孔２４ｃが設けられている。導入孔２４ｃは、電力供給ケーブル５３の先端に設けられたコネクタ５３ｂも挿通できるようにケーブル本体５３ａの径より十分大きく形成されている。このため、室内側の気密を確保すべく、図５に示すように電力供給ケーブル５３が挿通された後の導入孔２４ｃにおける開孔部分を塞ぐための閉塞部材としての閉塞板２９が設けられている。
【００２６】
躯体固定部２６は、見付け方向に沿った壁部でなる第１壁部２６ａと、第１壁部２６ａと直交する壁部でなる第２壁部２６ｂとを有し、第１壁部２６ａと直交するねじが貫通されて縦枠材３１に螺合され、第２壁部２６ｂと直交するねじが上材受け３４に螺合されることにより縦枠２３が開口部３０に固定されている。
【００２７】
第１壁部２６ａは、中空部２４の室内側壁部２４ａと同一平面を形成するように見付け方向に延出されている。また、第１壁部２６ａは、縦枠材３１との間に石膏ボード等のパネル材３６を介して固定され、ねじは外壁材３７により覆われて外部には露出しないように構成されている。
【００２８】
一方、第２壁部２６ｂは、中空部２４の枠部材２８における中央側の壁部２４ｄと同一平面を形成するように見込み方向に延出されている。第２壁部２６ｂは、上材受け３４との間に上下方向に互いに間隔を隔てて設けられている胴縁３８を介してねじにて固定される。
【００２９】
中空部２４の中央側の壁部２４ｄは、室内側に露出する部位であるため、第２壁部２６ｂを固定するためのねじの頭部を収容しキャップ等にて覆ってねじが露出しないように、縦枠２３にはカバー部３９が設けられている。カバー部３９における開口部３０の中央側の内側端面３９ａが、枠部材２８の内側端面に相当する。
【００３０】
本実施形態のシャッターユニット１０は、電力供給ケーブル５３がシャッターケース５４の入出開口５４ａにおける右端側から引き出され、ガイドレール１４の上方から縦枠２３の室外側壁部２４ｂに設けられた導入孔２４ｃから中空部２４内に引き込まれる。中空部２４内に引き込まれた電力供給ケーブル５３は、室内側壁部２４ａに設けられた導入孔２４ｃからさらに室内側に引き込まれる。このとき、電力供給ケーブル５３は室内側壁部２４ａの導入孔２４ｃから、上材３２の下方であり、上材受け３４と第２壁部２６ｂとの間の空間であって、上下方向に間隔を隔てて複数設けられている胴縁３８間に引き込まれる。また、このとき、電力供給ケーブル５３は、中空部２４内に、縦枠２３の中空部２４内に入る位置としての室内側壁部２４ａの導入孔２４ｃ及び中空部２４内から出る位置としての室外側壁部２４ｂの導入孔２４ｃより低い部位を有している。
【００３１】
室内側壁部２４ａの導入孔２４ｃから引き込まれた電力供給ケーブル５３は、図６に示すように、上材受け３４と第２壁部２６ｂとの間であって、上材３２と胴縁３８との間を見込み方向に配線され、図７に示すような縦枠材３１と上材受け３４とに設けられた貫通孔３５を挿通されて、壁部５５内、すなわち外壁側のパネル材３６と内装壁材５６との間隙に導入される。パネル材３６と内装壁材５６との間隙に導入された電力供給ケーブル５３は、内装壁材５６側に設けられたスイッチボックス５７を介して電源ラインと接続されている。スイッチボックス５７は、操作部５７ａが内装壁材５６から室内側に露出されている。
【００３２】
本実施形態のシャッターユニット１０によれば、シャッターユニット１０を動作させるための電力供給ケーブル５３が、枠部材２８の縦枠２３に設けられた導入孔２４ｃを介して開口部３０の縁としての上材受け３４の内側面３４ａと枠部材２８の内側端面３９ａとの間から室内側に引き込まれている。このため、開口部３０を構成する上材３２には加工が加えられないので強度を損なうことはなく、また、電力供給ケーブル５３は、上材受け３４の内側面３４ａと枠部材２８の内側端面３９ａとの間から引き込まれて外部に露出しないので美観を損なうことなく電力供給ケーブル５３を室内側に引き込むことが可能である。殊に、２×４(ツーバイフォー)構法の住宅では、強度を確保するために、本実施形態の上材の位置に設けられているまぐさへの加工は規格上許容されていない。このため、本実施形態のように上材３２（まぐさ）に加工を施すことなく電力供給ケーブル５３を本実施形態の上材受け３４の位置に設けられているまぐさ受けの内側面と枠部材２８の内側端面３９ａとの間から引き込む構造が特に有効である。
【００３３】
また、縦枠２３に設けられた導入孔２４ｃから引き込まれた電力供給ケーブル５３は、縦枠２３の中空部２４内に入る位置及び中空部２４内から出る位置より低い部位を、中空部２４内に有しているので、たとえ電力供給ケーブル５３を伝って水等が進入したとしても、中空部２４内に入る位置及び中空部２４内から出る位置より低い部位より室内側に水等が進入することはない。このため、室内側への水等の進入を防ぐことが可能である。
【００３４】
そして、導入孔２４ｃから引き込まれた電力供給ケーブル５３は、上材受け３４と枠部材２８との間から、上材受け３４と縦枠材３１とを貫通する貫通孔３５に挿通されて壁部５５内の間隙に配線されるので、電力供給ケーブル５３は壁部５５より外側に露出しない。このため、美観に優れたシャッターユニット１０を実現することが可能である。
【００３５】
上記実施形態のおいては、導入孔２４ｃから引き込まれた電力供給ケーブル５３を上材受け３４と縦枠材３１とを貫通する貫通孔３５に挿通されて壁部５５内の間隙に配線する例について説明したが、これに限るものではない。例えば、図８に示すように、上材受け３４及び縦枠材３１に内装壁材５６に臨ませて溝部５９を設け、導入孔２４ｃから引き込まれた電力供給ケーブル５３を上材受け３４と縦枠材３１とに設けられた溝部５９を介して壁部５５内の間隙に配線してもよい。この場合には、貫通孔３５を通す場合より電力供給ケーブル５３の引き回しが容易である。また、電力供給ケーブル５３が配線された溝部５９は、内装壁材５６に覆われて外部に露出しないので、美観を損なう畏れもない。
【００３６】
上記実施形態においては、中空部２４に設ける導入部を導入孔２４ｃとしたが、電力供給ケーブル５３を中空部２４から室内側に引き込める形態であれば孔に限らず、例えば室内側壁部２４の一部を切り欠いた切欠部であっても構わない。
【００３７】
また、上記実施形態においては、室内側に引き込むケーブルを、電力供給ケーブル５３としたが、これに限るものではない。たとえば、モータ５１を制御するための信号線、又は、スイッチを機械的に動作させるためのワイヤなどでも構わない。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３９】
【図１】本実施形態に係るシャッターユニットの外観図である。
【図２】本実施形態に係るシャッターユニットを説明するための水平断面図である。
【図３】本実施形態に係るシャッターユニットを説明するための縦断面図である。
【図４】図４（ａ）は、電源供給ケーブルの配線を説明するための水平断面図である。図４（ｂ）は、電源供給ケーブルの配線を説明するための縦断面図である。
【図５】導入孔から引き込まれる電源供給ケーブルの状態を説明するための図である。
【図６】開口部と枠部材と電源供給ケーブルとの位置関係を説明するための図である。
【図７】貫通孔を説明するための図である。
【図８】溝部を説明するための図である。
【符号の説明】
【００４０】
１０  シャッターユニット、２２  サッシ枠、２３  縦枠、２４ｃ  導入孔、
２４ｄ  壁部、２８  枠部材、２９  閉塞板、３０  開口部、３１  縦枠材、
３２  上材、３４  上材受け、３４ａ  内側面、３５  貫通孔、３９ａ  内側端面、
５３  電力供給ケーブル、５５  壁部、５６  内装壁材、５９  溝部
【図１】
0004926849.tif 000002
【図２】
0004926849.tif 000003
【図３】
0004926849.tif 000004
【図４】
0004926849.tif 000005
【図５】
0004926849.tif 000006
【図６】
0004926849.tif 000007
【図７】
0004926849.tif 000008
【図８】
0004926849.tif 000009